(57)【特許請求の範囲】
【請求項１】
床の開口部に嵌め込まれて根太に固定される平面形状が矩形の外枠と、
外枠の内部に嵌め込まれる蓋体と、
外枠の下端に係合され外枠を根太に固定する外枠固定部材とを備えており、
外枠は開口部の内周面に沿う立ち上がり壁と、立ち上がり壁から開口部の内方に向かって連設され蓋体を受ける蓋体受け部と、立ち上がり壁の上端から開口部の外方に向かって連設され開口部周縁の床上面に当接する鍔部と、立ち上がり壁の下端に外枠の長さ方向に沿って連設され外枠固定部材が係合する溝部とを備え、
外枠固定部材は溝部に係合する係合部と、根太に固定される固定部とを備えた床下点検口において、
溝部には外枠の長さ方向と直交する方向に孔部が形成されており、係合部が溝部に係合した状態で外枠固定部材が回動されると、係合部が外枠の長さ方向と直交する方向に移動可能な状態で孔部に挿通され、固定部が根太の固定面と対向するように位置することを特徴とする床下点検口。
【発明の詳細な説明】
【技術分野】
【０００１】
本発明は、木造建造物の床に設けられる床下点検口に関する。
【背景技術】
【０００２】
図８は従来の床下点検口の断面図である。外枠５１は、第１の外枠取り付け部材５２と，第２の外枠取り付け部材５３とを用いて根太５４に取り付けられる。第１の外枠取り付け部材５２は平面形状が長方形に形成されており、上端が外枠５１の係合凹部５５に嵌入されて外枠５１の長さ方向に移動可能である。第１の外枠取り付け部材５２の下端に取り付けられる第２の外枠取り付け部材５３は、上端の嵌入部５３ａが第１の外枠取り付け部材５２下端の係合凹部５２ａに嵌入して、外枠５１の長さ方向に対して直交する方向に移動可能である。第２の外枠取り付け部材５３は、嵌入部５３ａの下方に位置する取り付け部５３ｂが、開口部を形成する根太５４にビス止めされる。
【先行技術文献】
【特許文献】
【０００３】
【特許文献１】特開２０１０−２０９５３５号公報
【発明の概要】
【発明が解決しようとする課題】
【０００４】
特許文献１に記載の床下点検口では、外枠５１を根太５４にビス止めするために、第１の外枠取り付け部材５２と第２の外枠取り付け部材５３との２種類の部材が用いられており、部品点数が多くなるとともに取り付け作業に手間が掛かるという問題がある。
【０００５】
本発明の目的は、１種類の部材を用いて簡単に外枠を根太に固定することができる床下点検口を提供することである。
【課題を解決するための手段】
【０００６】
請求項１に記載の発明は、床の開口部に嵌め込まれて根太に固定される平面形状が矩形の外枠と、外枠の内部に嵌め込まれる蓋体と、外枠の下端に係合され外枠を根太に固定する外枠固定部材とを備えており、外枠は開口部の内周面に沿う立ち上がり壁と、立ち上がり壁から開口部の内方に向かって連設され蓋体を受ける蓋体受け部と、立ち上がり壁の上端から開口部の外方に向かって連設され開口部周縁の床上面に当接する鍔部と、立ち上がり壁の下端に外枠の長さ方向に沿って連設され外枠固定部材が係合する溝部とを備え、外枠固定部材は溝部に係合する係合部と、根太に固定される固定部とを備えた床下点検口において、溝部には外枠の長さ方向と直交する方向に孔部が形成されており、係合部が溝部に係合した状態で外枠固定部材が回動されると、係合部が外枠の長さ方向と直交する方向に移動可能な状態で孔部に挿通され、固定部が根太の固定面と対向するように位置することを特徴とする。
【発明の効果】
【０００７】
請求項１の発明によれば、係合部が溝部に係合した状態で外枠固定部材を回動すると、係合部が外枠の長さ方向と直交する方向に移動可能な状態で孔部に挿通され、固定部が根太の固定面と対向するように位置するので、１種類の部材を用いて簡単に外枠を根太に固定することができる。
【図面の簡単な説明】
【０００８】
【図１】本発明の一実施の形態に係る床下点検口の断面図である。
【図２】床下点検口の拡大断面図である。
【図３】外枠の断面図である。
【図４】内枠の断面図である。
【図５】外枠固定部材が外枠の溝部に係合した状態の断面図である。
【図６】外枠固定部材の係合片が外枠の孔部に挿通した状態の断面図である。
【図７】外枠固定部材の係合片が外枠の孔部に挿通される手順を示す図である。
【図８】従来の床下点検口の断面図である。
【発明を実施するための形態】
【０００９】
本発明の一実施の形態について図１〜図７に基づいて説明する。図１は本発明の一実施の形態に係る床下点検口１の断面図である。図２は床下点検口１の拡大断面図である。図３は外枠４の断面図である。図４は内枠７の断面図である。図５は外枠固定部材８が外枠４の溝部２５に係合した状態の断面図である。図６は外枠固定部材８の係合片３２ａが外枠４の孔部３９に挿通した状態の断面図である。図７は外枠固定部材８の係合片３２ａが外枠４の孔部３９に挿通される手順を示すＡ−Ａ断面図である。
床下点検口１は、木造建造物の床２に形成された開口部３に取り付けられる。床下点検口１は、外枠４と、外枠４の内部に嵌め込まれる蓋体５とを備えており、蓋体５は、蓋板６と内枠７とを備えている。外枠４は開口部３に嵌め込まれ、外枠４の下端に係合された外枠固定部材８によって根太９に固定される。
【００１０】
外枠４はアルミ押し出し成型された外枠材を組み立てて矩形の額縁状に形成される。外枠４は開口部３の内周面に沿う立ち上がり壁１１を備える。立ち上がり壁１１の上端には、鍔部１２が開口部３外方に向かって連設される。鍔部１２は開口部３周縁の床２上面に当接する。立ち上がり壁１１の中間部には、開口部３の内方に向かって蓋体受け部１３が連設される。蓋体５は蓋体受け部１３によって外枠４に支持される。
【００１１】
立ち上がり壁１１の下端には、開口部３の内方に向かって水平に壁部１５が連設されている。壁部１５の端部から下方に向かって壁部１６が連設されており、壁部１６の端部からさらに開口部３の外方に向かって水平に壁部１７が連設される。壁部１７の端部から上方に壁部１８が立ち上がっている。立ち上がり壁１１の下端には、さらに下方に向かって壁部２１が連設されており、壁部２１の下端部にはＬ形の脚部２３が連設されている。外枠固定部材８の係合部３０が係合する溝部２５は、壁部１５，１６，１７，１８，２１および脚部２３によって囲まれた空間であり、壁部２１には係合部の係合片３２ａが挿通される孔部２６が形成されている。
【００１２】
蓋板６は床２と同一の材料を用いて矩形の平板状に形成される。内枠７はアルミ押し出し成型された内枠材を用いて矩形の額縁状に形成される。内枠７は、蓋板６の外周を覆うように蓋板６にビス止めされる。蓋体５は、蓋板６が蓋体受け部１３に支持されており、蓋体受け部１３には気密性を向上させるために気密材２７が設けられる。
【００１３】
外枠固定部材８は、たとえば樹脂成型され断面が略Ｌ字状に形成される。外枠固定部材８の上部に位置する水平な壁部２８の上面２９には外枠４の溝部２５に係合する係合部３０が形成されている。係合部３０は、壁部２８の上面２９から垂直に立ち上がる本体部３１と、本体部３１の上端に形成される係合片３２ａと３２ｂとを備える。本体部３１の一方の側面３３は斜めに面取りされＶ字状に形成されている。係合片３２ａ，３２ｂは水平方向に向いて平板状に形成されており、係合片３２ａ，３２ｂの幅は、脚部２３と壁部１８との間に形成される溝部２５開口に挿通可能な幅とされる。
本実施の形態においては、本体部３１からＶ字状の側面３３側とは反対側の側面３４側に伸延する係合片３２ａが、Ｖ字状の側面３３側に伸延する係合片３２ｂよりも幅広に形成されているが、これに限定されるものではない。係合片３２ｂの角部は、係合片３２ｂが回動するとき角部が壁部１６に接触することを防止するためにＲ面取りされている。係合片３２ａの角部は、係合片３２ａが回動して孔部２６に挿通されるとき係合片３２ａの角部が孔部２６の周縁に接触することを防止するためにＣ面取りされている。
【００１４】
壁部２８の端部には下方に伸延する固定部である壁部３８が形成されており、係合片３２ａ，３２ｂは壁部３８と直交する方向に細長に形成されている。壁部３８には外枠固定部材８を根太９にビス止めするための孔部３９が形成されている。なお、孔部３９は壁部３８から開口部３内方に突出して細長に形成されているので、作業者はビスのねじ込み角度を気にすることなく、ビスを孔部３９に挿入して容易にビス止めすることができる。
【００１５】
ここで床下点検口の取り付け手順について説明する。外枠材を連結して額縁状の外枠４が形成される。外枠材同士は、たとえば外枠材の端部間に設置した連結金具をかしめて連結される。外枠４には外枠固定部材８が係合される。外枠固定部材８は、外枠４に形成されている孔部２６の位置に合わせて係合部３０が溝部２５に係合される。図７（ａ）に示すように、係合部３０は、係合片３２ａと３２ｂとが溝部２５に沿って並んだ状態で係合される。
【００１６】
この状態で外枠固定部材８を回動させると、図７（ｂ）に示すように、係合片３２ａの一方側の角部が孔部２６に挿入される。本体部３１の側面３３は斜めに面取りされてＶ字状に形成されており、外枠固定部材８が回動するとき、本体部３１の角部が壁部１８に当接するが防止される。係合片３２ｂの角部はＲ面取りされており、係合片３２ｂが回動するとき角部が壁部１６に接触することが防止される。
【００１７】
外枠固定部材８をさらに回動させると図７（ｃ）に示すように、係合片３２ａの一方側の角部が孔部２６を貫通する。外枠固定部材８をさらに回動すると、図７（ｄ）に示すように、係合片３２ａの他方側の角部が孔部２６に挿入される。係合片３２ａの角部はＣ面取りされており、係合片３２ａの角部が孔部２６周縁に接触することが防止される。
【００１８】
外枠固定部材８をさらに回動させると図７（ｅ）に示すように、係合片３２ａの他方側の角部が孔部２６を貫通し、図７（ｆ）に示すように、係合部３０は、係合片３２ａが孔部２６に挿通されて、係合片３２ａと係合片３２ｂとが溝部２５に対して直交した状態となる。外枠固定部材８は、たとえば１つの外枠材に対して２箇所係合され、外枠４に８箇所設置される。
【００１９】
外枠固定部材８が係合された外枠４は、床２に形成された開口部３に嵌め込まれる。外枠４は鍔部１２が開口部３周縁の床２上面に当接するように嵌め込まれる。係合部３０の本体部３１側面３４と外枠４の脚部２３端部４１との間には隙間Ｘが設けられており、根太９の取り付け位置に合わせて壁部３８を移動して、根太９の取り付け面に壁部３８を当接させることができる。根太９の取り付け面に当接させた外枠固定部材８の孔部３９にビスを挿入して、容易に外枠固定部材８を根太９にビス止めすることができる。根太９に外枠固定部材８をビス止めして外枠４を固定した後に、蓋板６が蓋体受け部１３に支持された状態で、蓋体５が外枠４の内部に嵌め込まれる。
【００２０】
なお、係合片３２ａが孔部２６に挿通されたとき、係合片３２ａの幅方向に生じる隙間は狭い方が望ましい。係合片３２ａの幅に対して孔部２６が幅広に形成されている場合には、係合片３２ａを孔部２６に挿通し（図７（ｆ）に示す状態）、外枠固定部材８を根太９にビス止めしたときに、孔部２６と係合片３２ａとの間に隙間が生じる。図７（ｆ）に示す外枠材に対して直角に連結されている外枠材に係合される外枠固定部材８は、側面３４と外枠４の脚部２３端部４１との間に隙間を有した状態で根太９にビス止めされるので、遊びが発生して外枠４を床２に固定することができない場合がある。
【００２１】
このように、床２の開口部３に嵌め込まれて根太９に固定される平面形状が矩形の外枠４と、外枠４の内部に嵌め込まれる蓋体５と、外枠４の下端に係合され外枠４を根太９に固定する外枠固定部材８とを備えており、外枠４は開口部３の内周面に沿う立ち上がり壁１１と、立ち上がり壁１１から開口部３の内方に向かって連設され蓋体５を受ける蓋体受け部１３と、立ち上がり壁１１の上端から開口部３の外方に向かって連設され開口部３周縁の床２上面に当接する鍔部１２と、立ち上がり壁１１の下端に外枠４の長さ方向に沿って連設され外枠固定部材８が係合する溝部２５とを備え、外枠固定部材８は溝部２５に係合する係合部３０と、根太９に固定される固定部である壁部３８とを備えた床下点検口１において、溝部２５には外枠４の長さ方向と直交する方向に孔部２６が形成されており、係合部３０が溝部２５に係合した状態で外枠固定部材８が回動されると、係合部３０が外枠４の長さ方向と直交する方向に移動可能な状態で孔部２６に挿通され、壁部３８が根太９の固定面である取り付け面と対向するように位置するので、１種類の部材を用いて簡単に外枠４を根太９に固定することができる。
【符号の説明】
【００２２】
１    床下点検口
２    床
３    開口部
４    外枠
５    蓋体
６    蓋板
７    内枠
８    外枠固定部材
９    根太
１１    立ち上がり壁
１２    鍔部
１３    蓋体受け部
１５，１６，１７，１８，２１    壁部
２３    脚部
２５    溝部
２６    孔部
２７    気密材
２８    壁部
２９    上面
３０    係合部
３１    本体部
３２ａ，３２ｂ    係合片
３３，３４    側面
３８    壁部
３９    孔部
４１    端部
【図１】
0005863500.tif 000002
【図２】
0005863500.tif 000003
【図３】
0005863500.tif 000004
【図４】
0005863500.tif 000005
【図５】
0005863500.tif 000006
【図６】
0005863500.tif 000007
【図７】
0005863500.tif 000008
【図８】
0005863500.tif 000009